(57)【要約】【課題】配線器具の端子部構造において、センサが実装された回路基板を電線接続部に対して位置決めされた状態で容易に組み付けることができるように構成する。【解決手段】コンセントの端子部構造は、商用電源からの電力を供給する電源線が接続される電線接続部と、電線接続部における異常を検知する温度センサが実装された回路基板１１０と、電線接続部及び回路基板１１０を収納する端子ボックス１０１とを備える。回路基板１１０は、温度センサを介在させて電線接続部上に載置され、端子ボックス１０１の３つの係合部１０１ａ，１０１ｂ，１０１ｃが回路基板１１０の周縁部に係合した状態で端子ボックス１０１に収納されている。回路基板１１０の周縁部であって３つの係合部からの距離の総和が最も長くなる位置には、回路基板１１０から導出される信号線１１４ａ，１１４ｂの接続部１１１ｃが設けられている。【選択図】図１３
2020053244.tif 000002
【特許請求の範囲】
【請求項１】
電力供給路の異常を検知して、少なくともその旨の報知又は前記電力供給路の遮断を行う配線器具ないし電路開閉器における端子部構造であって、
商用電源からの電力を負荷に供給するための電源線が接続される電線接続部と、
前記電線接続部における異常を検知するセンサが実装された回路基板と、
前記電線接続部及び前記回路基板を収納する筐体と、を備え、
前記回路基板は、前記センサを介在させて前記電線接続部上に載置され、前記筐体に設けられた少なくとも３つの係合部が前記回路基板の周縁部に係合した状態で前記筐体に収納されており、
前記回路基板の周縁部であって前記３つの係合部からの距離の総和が最も長くなる位置には、前記回路基板から導出される信号線の接続部が設けられている、
配線器具ないし電路開閉器における端子部構造。
【請求項２】
前記筐体と連設される機能ユニットを更に備え、前記機能ユニットは前記回路基板の端縁部を挟み込む挟持部を有している、請求項１に記載の配線器具ないし電路開閉器における端子部構造。
【請求項３】
前記電線接続部には鎖錠ばねが設けられ、前記電源線は前記鎖錠ばねによって前記電線接続部に対して弾性的に押圧されることで接続可能であり、
前記鎖錠ばねによる押圧を解除する解錠部材を更に備え、前記解錠部材は前記筐体の後面の開口部から挿入される工具によって移動されることで前記電源線を前記電線接続部に押圧するのを解除するように構成されており、
前記工具の挿入方向の前方に位置する前記回路基板の端縁部は前記筐体との間の隙間を小さくする閉塞部を形成し、
前記信号線の接続部は、前記閉塞部を構成する前記回路基板の端縁部とは反対側の端縁部近傍に設けられている、請求項１又は２に記載の配線器具ないし電路開閉器における端子部構造。
【請求項４】
前記信号線は、前記回路基板の前面において前記信号線の導線が半田付けされて前記回路基板に接続されている、請求項１〜３のいずれか一項に記載の配線器具ないし電路開閉器における端子部構造。
【請求項５】
前記センサによる異常検出に基づいて前記電力供給路の遮断動作を制御する制御基板を更に備え、前記回路基板の信号線の接続部は、前記制御基板の位置に近い側の端縁部に設けられている、請求項１〜４のいずれか一項に記載の配線器具ないし電路開閉器における端子部構造。
【発明の詳細な説明】
【技術分野】
【０００１】
本開示は、配線器具ないし電路開閉器の端子部構造に関する。
【背景技術】
【０００２】
例えば、特許文献１には、それぞれ電源コンセントの栓刃挿入口に挿入接続される複数個の栓刃と各栓刃について少なくとも１個ずつ設けられて対応する栓刃の温度を検出する複数個の温度センサとを有するプラグと、負荷に接続される負荷接続部と、いずれかの前記温度センサによって検出された温度が所定の温度よりも高くなったときに栓刃から負荷接続部への通電をオフする遮断手段とを備えた電源コードが記載されている。
【先行技術文献】
【特許文献】
【０００３】
【特許文献１】特開２００７−４２４０７号公報
【発明の概要】
【発明が解決しようとする課題】
【０００４】
特許文献１に記載されるような電源コード、或いは、コンセント等の配線器具やブレーカ等の電路遮断器において、金属板からなる栓刃等の端子に温度センサを設置する場合、温度センサが実装されている回路基板を配線器具等に組み込むことによって設置することがある。この場合、温度センサが実装された回路基板が正確に位置決めされた状態で容易に組み付けられるように構成することが望まれる。
【０００５】
本開示の目的は、配線器具ないし電路開閉器の端子部構造において、センサが実装された回路基板を電線接続部に対して位置決めされた状態で容易に組付けることができるように構成することにある。
【課題を解決するための手段】
【０００６】
本開示に係る配線器具ないし電路開閉器における端子部構造は、電力供給路の異常を検知して、少なくともその旨の報知又は電力供給路の遮断を行う配線器具ないし電路開閉器における端子部構造であって、商用電源からの電力を負荷に供給するための電源線が接続される電線接続部と、電線接続部における異常を検知するセンサが実装された回路基板と、電線接続部及び回路基板を収納する筐体と、を備える。回路基板は、センサを介在させて電線接続部上に載置され、筐体に設けられた少なくとも３つの係合部が回路基板の周縁部に係合した状態で筐体に収納されている。回路基板の周縁部であって３つの係合部からの距離の総和が最も長くなる位置には、回路基板から導出される信号線の接続部が設けられている。
【発明の効果】
【０００７】
本開示に係る配線器具ないし電路開閉器における端子部構造によれば、センサが実装された回路基板を電線接続部に対して位置決めされた状態で容易に組付けることができ、配線器具や電路開閉器の組立性を向上させることができる。
【図面の簡単な説明】
【０００８】
【図１】取付枠に取り付けられたスイッチ付きコンセント（以下、適宜にコンセントとだけいう。）を示す斜視図である。
【図２】図１に示したコンセントの分解斜視図である。
【図３】カバーを取り外した状態で示すコンセントの正面図である。
【図４】図３に示すコンセントにおいて、ケース及び端子ボックスを取り外した状態で示す分解斜視図である。
【図５】図４に示すコンセントにおいて、ケース及び端子ボックスとボディ部材とを取り除いた状態を示す斜視図である。
【図６】閉路状態にある開閉ユニットの側面図である。
【図７】開路状態にある開閉ユニットの側面図である。
【図８】図４に示すコンセントにおいて、矢印Ａ方向（端子部側）から見た斜視図である。
【図９】コンセントの温度センサ取付構造を示す分解斜視図である。
【図１０】図９の温度センサ取付構造の組立斜視図である。
【図１１】温度センサ取付構造を示す一部断面を含む平面図である。
【図１２】端子部を拡大して示す斜視図である。
【図１３】端子部を斜め前方から見た状態で示す斜視図である。
【図１４】温度計測用の回路基板を省略した状態で端子部を示す斜視図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、取付枠１に取り付けられたスイッチ付きコンセント１０を示す斜視図である。図２は、図１に示したコンセント１０の分解斜視図である。図１及び図２（他図でも同様）において、矢印Ｘは幅方向（または左右方向）を示し、矢印Ｙは前後方向（または奥行き方向）を示し、矢印Ｚは上下方向（または高さ方向）を示している。これらの３方向は互いに直交する。なお、これらの方向は例示であって、本開示に係るコンセントの構成を実質的に規定するものではない。
【００１１】
図１及び図２に示すように、コンセント１０は、取付枠１に取り付けられて壁（図示せず）等の造営物に設置される。コンセント１０は、例えば電気機器等の負荷に電源コードを介して接続される差込プラグが挿入接続される配線器具であり、コンセント１０を介して商用電源からの電力が負荷に供給される。
【００１２】
取付枠１は、上側板部２と、下側板部３と、幅方向Ｘの両側において上下方向Ｚに延在して上側板部２および下側板部３に連結される一対の桟部４，４とを有する。これにより、取付枠１には、上側板部２及び下側板部３と一対の桟部４，４とで囲まれた領域に、正面視で縦長の長方形状をなす開口部５が形成されている。
【００１３】
取付枠１は、金属板を打ち抜き加工及び曲げ加工して形成される。一対の桟部４，４は、断面Ｌ字状に曲げ加工されており、前後方向Ｙに沿った側面には複数の係合孔６が上下方向Ｚに間隔をあけて形成されている。これらの係合孔６によってコンセント１０が取付枠１に取り付けられる。
【００１４】
図１及び図２に示すように、コンセント１０は、前方から見た正面視で縦長の長形状をなす直方体に形成されている。コンセント１０の大きさは、ＪＩＳ規格に規定される寸法に形成されている。
【００１５】
コンセント１０は、ケース１６と、主カバー部材１７と、コンセント本体カバー１２とを備える。主カバー部材１７及びコンセント本体カバー１２は、ケース１６の前面開口を覆って設けられる。また、コンセント１０は、コンセント外側カバー１４をさらに備える。主カバー部材１７、コンセント本体カバー１２及びコンセント外側カバー１４は、いずれも樹脂成型品によって好適に構成される。
【００１６】
主カバー部材１７は、前壁１７ａと、側壁１７ｂとを有する。前壁１７ａは、幅方向Ｘの一方側において上下方向Ｚに延在している。側壁１７ｂは、主カバー部材１７において四方周囲を取り囲むように形成されている。また、主カバー部材１７の前面には、前壁１７ａと側壁１７ｂとの間に開口部１９が形成されている。開口部１９は、正面視で縦長の長方形状に形成されている。開口部１９は、コンセント本体カバー１２の上部カバー１２ａが嵌り込んで取り付けられるために形成されている。本実施形態においてコンセント本体カバー１２の上部カバー１２ａは、主カバー部材１７に取り付けられる副カバー部材に相当する。
【００１７】
主カバー部材１７の前壁１７ａには、正面視で縦長の長方形状をなす開口部１７ｃが形成されている。この開口部１７ｃは、後述する開閉ユニット７０の操作レバー７１を露出させるために形成されている。また、前壁１７ａには、開口部１７ｃの上方位置に操作片１７ｄが片持ち形状で形成されている。この操作片１７ｄを介して後述するスイッチ盤に実装された押しスイッチを押下操作することが可能になっている。
【００１８】
また、主カバー部材１７の前面において、開口部１９の下方には端子カバー部１７ｅが設けられている。この端子カバー部１７ｅは、ケース１６に組み付けられたとき、ケース１６内に収納された端子部１００を覆って設けられるが、端子カバー部１７ｅに形成されている貫通孔を介して端子部１００の接地用端子１０２およびねじ１０５等が露出するように構成されている。
【００１９】
さらに、主カバー部材１７の側壁１７ｂには、係止片２１が幅方向の両側縁部に２つずつ、合計４つ形成されている。各係止片２１は、側壁１７ｂの端縁部から後方に突出して形成されている。また、各係止片２１には、矩形状の係止孔がそれぞれ形成されている。これらの係止片２１は、主カバー部材１７がケース１６に組み付けられたとき、ケース１６の側面に突設されている係合部２２が係止孔に係合することによって、主カバー部材１７がケース１６に対して係止された状態で組み付けられる。
【００２０】
さらにまた、主カバー部材１７には、前壁１７ａの開口部１９側の縁部に係止部２３が後方に突出した形状に形成されている。この係止部２３は、開口部１９内にコンセント本体カバー１２の上部カバー１２ａが嵌め込まれて組み付けられたときに、上部カバー１２ａに係合して組付け状態を保持する機能を有する。
【００２１】
コンセント本体カバー１２は、コンセント１０の前面を覆って配置されている。コンセント本体カバー１２は、上部カバー１２ａ及び下部カバー１２ｂを含む。上部カバー１２ａは、ケース１６内に収納されたコンセント部４０の前方を覆って設けられる。ケース１６およびコンセント部４０の詳細については後述する。
【００２２】
上部カバー１２ａには、栓刃挿入部１８ａ，１８ｂが上下２段に配置されている。上段の栓刃挿入部１８ａには、差込プラグ（図示せず）の２つの板状栓刃が挿入される栓刃挿入口２０ａ，２０ｂが左右方向に並んで形成されている。また、下段の栓刃挿入部１８ｂには、差込プラグの２つの栓刃が挿入される栓刃挿入口２０ａ，２０ｂが左右方向に並んで形成されるとともに、栓刃挿入口２０ａ，２０ｂの間の下方位置に接地用の棒状端子が挿入される接地端子挿入口２０ｃが形成されている。本実施形態では、一方の栓刃挿入口２０ａの開口縁部が正面視で略Ｄ字型の枠状に形成され、他方の栓刃挿入口２０ｂの開口縁部が矩形枠状に形成されている例が示される。ただし、これに限定されるものではなく、各栓刃挿入口２０ａ，２０ｂの開口縁部は同じ形状に形成されてもよい。
【００２３】
コンセント本体カバー１２の一部を構成する下部カバー１２ｂは、ケース１６内に収納された端子部１００の接地用端子１０２を覆って設けられる。下部カバー１２ｂの表面には「アース」及び「あける」の文字、接地を表すマークなどが付されている。下部カバー１２ｂは、上部カバー１２ａに対して着脱可能に取り付けられている。詳しくは、下部カバー１２ｂに一体形成されている２つの取付ピン１３を上部カバー１２ａに形成された取付穴１５に挿入することによって取り付けられる。下部カバー１２ｂをコンセント１０から取り外すことで端子部１００の接地用端子１０２が露出する。これにより、コンセント１０は、接地用外部電線を接続可能な状態になる。
【００２４】
コンセント外側カバー１４は、前方から見た正面視でコ字状をなす形状に形成され、コンセント本体カバー１２の上方、左側及び下方の三方外側に隣接して配置される。コンセント外側カバー１４は、後述する開閉ユニット７０の前面を覆って設けられる。コンセント外側カバー１４には、縦長の長方形状をなす開口部１４ａと、この開口部１４ａの上方に位置する円形の貫通孔１４ｂとが形成されている。開口部１４ａには、開閉ユニット７０の操作レバー７１が露出した状態で配置されている。また、貫通孔１４ｂの内側（すなわち後方）には、後述するスイッチ盤に実装された押しスイッチが配置される。これにより、例えば細い棒状の工具やペンの先端などを貫通孔１４ｂに挿入することで押しスイッチを押下することができ、開閉ユニットの動作テストや、ブザー停止操作を行うことができる。また、押しスイッチは発光部を備えており、貫通孔１４ｂはこの発光部の点灯状態を外部から確認するための透光窓としても機能する。
【００２５】
コンセント外側カバー１４において貫通孔の１４ｂの上方には、「電源」及び「異常」の表示が付されている。表示「電源」の上の領域はコンセント１０の電源供給時に例えば緑色に点灯する電源灯孔１４ｃになっており、表示「異常」の上の領域はコンセント１０の異常発熱時に例えば赤色に点灯又は点滅する異常灯孔１４ｄになっている。なお、電源灯孔１４ｃ及び異常灯孔１４ｄは、コンセント外側カバー１４の壁面を薄肉に形成することで光が透過する透光部となっていてもよい。
【００２６】
図３は、カバーを取り外した状態で示すコンセント１０の正面図である。図４は、図３に示すコンセント１０において、ケース１６及び端子ボックス１０１を取り外した状態で示す分解斜視図である。
【００２７】
コンセント１０は、ケース１６を備える。ケース１６は、例えば、樹脂成型品によって構成される。ケース１６は、図３及び図４に示すように、直方体状の外形をなし、後部に底面を有するとともに前方に開口した形状を有する。
【００２８】
図３及び図４に示すように、ケース１６の長辺方向に沿った外面には、係合部２２が突出して形成されている。係合部２２は、各側面に間隔をあけて２つずつ設けられている。これらの係合部２２に主カバー部材１７の係止片２１が係合することによって、主カバー部材１７がケース１６に取り付けられる。
【００２９】
図４に示すように、ケース１６の底面２４には、複数の柱部２６が立設されている。これらの柱部２６は、ケース１６内に開閉ユニット７０が収納されたとき開閉ユニット７０の側壁面に突設された挟持部に各先端面が当接して開閉ユニット７０を支持する機能を有する。また、ケース１６の底面２４には、複数の支持突起部（図４では１つだけ図示）２９が突出して形成されている。これらの支持突起部２９の先端面によって、ケース１６内に収納された制御基板１２０が支持される。
【００３０】
図５は、図４に示すコンセントにおいて、ケース及び端子ボックスとボディ部材とを取り除いた状態を示す斜視図である。図３ないし図５に示すように、コンセント１０は、コンセント部４０、開閉ユニット７０、及び、制御基板１２０を備える。また、コンセント１０は、接地用端子１０２を備えてもよい。なお、コンセント部４０が本開示における第２ユニットに相当し、開閉ユニット７０が本開示における第１ユニットに相当し、コンセント１０が本開示におけるスイッチ装置に相当する。
【００３１】
コンセント部４０は、２つの刃受ばねブロック４２ａ，４２ｂと、これらの刃受ばねブロック４２ａ，４２ｂを支持するボディ部材４４とを含む。ボディ部材４４は、絶縁性の樹脂成型品によって好適に構成される。
【００３２】
一方の刃受ばねブロック４２ａは、コンセント１０の端子部１００に接続される電圧相（以下、Ｌ相という。）の外部電源線と電気的に接続される端子部材である。他方の刃受ばねブロック４２ｂは、コンセント１０の端子部１００に接続される中性相（以下、Ｎ相という。）の外部電源線と電気的に接続される端子部材である。刃受ばねブロック４２ａ，４２ｂは、例えば、銅板等の金属板を打ち抜き及び折り曲げ等の加工を施すことによって製造される。上記Ｌ相電源線およびＮ相電源線を介して刃受ばねブロック４２ａ，４２ｂに商用電源からの電力が供給される。
【００３３】
各刃受ばねブロック４２ａ，４２ｂは、同一形状のものを用いることができる。したがって、以下では一方の刃受ばねブロック４２ａの構成について主として説明し、他方の刃受ばねブロック４２ｂについては援用によって説明を適宜に省略する。
【００３４】
刃受ばねブロック４２ａは、二対の刃受ばね４８と、各刃受ばね４８を機械的に連結するとともに電気的に接続する連結部５０と、連結部５０の縁部から前後方向に沿って折り曲げ形成された接続端子部５２とを一体に有する。
【００３５】
Ｌ相用の刃受ばねブロック４２ａにおいて一対の刃受ばね４８は、上部カバー１２ａの上段の右側に形成された栓刃挿入口２０ａの内側に配置される。もう一対の刃受ばね４８は、上部カバー１２ａの下段の右側に形成された栓刃挿入口２０ａの内側に配置される（図１参照）。
【００３６】
Ｎ相用の刃受ばねブロック４２ｂにおいて一対の刃受ばね４８は、上部カバー１２ａの上段の左側に形成された栓刃挿入口２０ｂの内側に配置される。もう一対の刃受ばね４８は、上部カバー１２ａの下段の左側に形成された栓刃挿入口２０ｂの内側に配置される（図１参照）。
【００３７】
図５に示すように、Ｌ相用の刃受ばねブロック４２ａの接続端子部５２には、Ｌ相導線５４ａの一端がはんだ付け等によって接続されている。また、Ｎ相用の刃受ばねブロック４２ｂの接続端子部５２には、Ｎ相導線５４ｂの一端がはんだ付け等によって接続されている。Ｌ相導線５４ａおよびＮ相導線５４ｂは、例えば、絶縁被覆された編組銅線によって好適に構成される。Ｌ相導線５４ａおよびＮ相導線５４ｂの各他端は、開閉ユニット７０にそれぞれ接続されている。
【００３８】
また、刃受ばねブロック４２ａ，４２ｂの接続端子部５２には温度センサ５４がクリップ５６によってそれぞれ取り付けられている。温度センサ５４の取付構造については後に詳述する。温度センサ５４は、刃受ばねブロック４２ａ，４２ｂの温度をそれぞれ計測して、その計測結果を信号線６０ａ，６０ｂを介して制御基板１２０に送信する。
【００３９】
制御基板１２０は、図示しないパターン配線が形成されたプリント基板である。制御基板１２０には、例えばマイコン等によって構成される制御部１２２が実装されている。制御部１２２は、温度センサ５４から送信される計測結果に基づいて、刃受ばねブロック４２ａ，４２ｂの温度が所定閾値を超えていないか否かを判定する。そして、制御部１２２は、刃受ばねブロック４２ａ，４２ｂの少なくとも一方の温度が所定閾値温度を超えたとき、コンセント１０が過熱状態であると判定し、開閉ユニット７０に信号線６０ｃを介して作動信号を送信する。
【００４０】
ここで、所定閾値温度は、例えば、１００℃〜１５０℃に設定することができる。所定閾値温度は、コンセント１０のカバー１２やボディ部材４４を構成する樹脂材料の耐熱温度等に応じて設定され得るものである。コンセント本体カバー１２等のカバー部材やボディ部材４４などを構成する樹脂材料として、例えば、メラミン樹脂、ユリア樹脂、ポリブチレンテレフタレート（ＰＢＴ）などが好適に用いられる。上記の所定閾値温度は、コンセント１０が使用される環境温度（または周囲温度）に応じて変更されてもよい。
【００４１】
また、制御基板１２０には、ブザー装置が実装されるのが好ましい。制御部１２２は、刃受ばねブロック４２ａ，４２ｂの少なくとも一方の温度が所定閾値温度を超えて過熱状態にあると判定されたとき、押しスイッチ１３２の発光部を点滅状態とするとともにブザー装置を鳴動させて、報知動作を行ってもよい。
【００４２】
なお、本実施形態では制御基板１２０は、コンセント１０の過熱状態を異常として検知する機能を備える例について説明するが、これに限定されるものでない。コンセントは、所定震度以上の地震を異常として検知したとき電力供給を遮断する感震検知機能を備えるものであってもよい。この場合、震度は回路基板上またはコンセント内部の他の部分に設置された例えば、ジャイロセンサ等の加速度を検知可能な感震センサによって構成されてもよい。感震センサは、回路基板上のパターン配線又は、信号線を介して、回路基板上の制御部に接続される。制御部は、感震センサからの入力に基づいて所定震度以上の地震であると判定されたとき、開閉ユニット７０に対して作動信号を出力する。また、本開示に係るコンセントは、このような感震検知機能と上述した過熱検知機能とを合わせて備えてもよいし、感震検知機能単独で備えてもよい。さらに、本開示に係るコンセントは、異常として漏電を検知したときに電流を遮断する漏電検知機能を上述した過熱や感震と組み合わせて或いは単独で備えてもよい。漏電を検知するためにコンセント内に電流センサを設け、刃受ばねブロックを流れる電流（物理量）が所定閾値電流値を超えたときに開閉ユニットを作動させる構成とすればよい。
【００４３】
図５に示すように、コンセント１０は、スイッチ盤１３０を備える。スイッチ盤１３０には、押しスイッチ１３２が実装されている。押しスイッチ１３２は、コンセント外側カバー１４の貫通孔１４ｂの内側に配置されている（図１および図２参照）。これにより、貫通孔１４ｂを介してコンセント１０の外部から押しスイッチ１３２を押下操作することができる。スイッチ盤１３０は、制御基板１２０に信号線を介して接続されている。押しスイッチ１３２が短く押し操作されると、制御基板１２０から後述する開閉ユニット７０に作動信号が送信される。これにより、開閉ユニット７０が閉路状態から開路状態に切り替わり、押しスイッチ１３２は異常状態を示す点滅状態となる。このように押しスイッチ１３２を押下操作することで、コンセント１０が正常に作動するか否かをテストすることができる。また、押しスイッチ１３２を長押し操作することで、過熱状態を報知するブザー装置を停止させることもできる。
【００４４】
スイッチ盤１３０には、電源灯発光部１３４および異常灯発光部１３６が実装されている。電源灯発光部１３４は、コンセント外側カバー１４の電源灯孔１４ｃの内側に対向して配置され、異常灯発光部１３６は、コンセント外側カバー１４の異常灯孔１４ｄの内側に対向して配置される（図１参照）。電源灯発光部１３４は、例えば、緑色に発光する発光ダイオード（ＬＥＤ）によって好適に構成される。異常灯発光部１３６は、例えば、赤色に発光する発光ダイオード（ＬＥＤ）によって好適に構成される。電源灯発光部１３４は、コンセント１０が電源供給状態にあるとき点灯される。異常灯発光部１３６は、後述するようにコンセント１０において異常発熱が検知されたときに点灯されるか又は点滅する。これらの発光部１３４，１３６の点灯状態がコンセント１０の外部から視認可能になっていることで、発光部１３４，１３６は報知部の一部を構成する。
【００４５】
次に、図６及び図７を参照して開閉ユニット７０について説明する。図６は、閉路状態にある開閉ユニット７０の側面図である。図７は、開路状態にある開閉ユニット７０の側面図である。図６及び図７において、開閉ユニット７０は、幅方向外側を覆うハウジングの壁面を取り除いた状態で示されている。
【００４６】
開閉ユニット７０は、商用電源からの電力供給路を遮断するための機能ユニットである。具体的には、コンセント１０において開閉ユニット７０は、端子部１００とコンセント部４０との間に設けられ、商用電源からの電力供給路を開閉する機能を有する。図６に示すように、開閉ユニット７０は、ハウジング７２を有する。ハウジング７２の前面には、操作レバー７１が露出した状態で回動可能に設けられている。
【００４７】
開閉ユニット７０は、ハウジング７２内に、コイル７３、可動鉄片７４、トリガーレバー７５、支持レバー７６、作動板７７、押圧ばね７８、作動部材７９、圧接ばね８０，８５、Ｎ相可動端子板８１及びＮ相可動端子部８２、Ｌ相可動端子板８３及びＬ相可動端子部８４、Ｎ相固定端子板８６及びＮ相固定端子部８７、並びに、Ｌ相固定端子板８８及びＬ相固定端子部８９を備える。
【００４８】
コイル７３は、制御基板１２０からの作動信号を受けて電力供給される。これにより、コイル７３は磁力を発生する。可動鉄片７４は、ハウジング７２内においてコイル７３の後方（図６中では下方）に近接する位置で前後方向Ｙへ移動可能に設けられている。可動鉄片７４は、Ｌ相可動端子板８３の一端部に固定されている。なお、Ｌ相可動端子板８３の一端８３ａには、Ｌ相導線５４ａの他端がはんだ付け等によって電気的および機械的に接続されている。
【００４９】
トリガーレバー７５は、略Ｌ字状の形状をなし、ハウジング７２の幅方向側壁面に軸部７５ａを中心に回動可能に設けられている。トリガーレバー７５の一端部は、可動鉄片７４と係合可能な位置に配置されている。
【００５０】
支持レバー７６は、前後方向Ｙに延在する形状を有し、ハウジング７２の幅方向側壁面に軸部７６ａを中心に回動可能に設けられている。支持レバー７６の一端部は、トリガーレバー７５の他端部に係合可能な位置に配置されている。
【００５１】
作動板７７は、一端部が支持レバー７６の他端の上に当接して支持されている。作動板７７は、操作レバー７１に一端が連結されている略Ｕ字状の押圧ばね７８の他端が連結されており、この押圧ばね７８の押圧力によって一端部が支持レバー７６の他端上に圧接されている。
【００５２】
操作レバー７１の回動中心の周りには捻りばね９０が配置されている。後述するように開閉ユニット７０が作動して電力遮断状態になったとき、操作レバー７１は捻りばね９０の付勢力によって回動して、図７に示すようにコンセント１０の前面に突出した状態となる。
【００５３】
図６に示すように、作動部材７９は、支持レバー７６と作動板７７とに隣接して配置され、ハウジング７２の幅方向側壁に軸部７９ａを中心として回動可能に設けられている。作動部材７９の後端部（図６中の下端部）が圧接ばね８０によって付勢されている。これにより、作動部材７９は、圧接ばね８０によって、図６中の反時計回り方向に回動する方向に付勢されている。
【００５４】
作動部材７９は、前後方向Ｙの略中央部がＮ相可動端子板８１と係合可能に設けられている。Ｎ相可動端子板８１の一端には、Ｎ相導線５４ｂの他端がはんだ付け等によって電気的および機械的に接続されている。また、Ｎ相可動端子板８１の他端にはＮ相可動端子部８２が例えばカシメ等によって固定されている。
【００５５】
Ｎ相可動端子板８１は、作動部材７９によって、圧接ばね８５の付勢力に抗して時計回り方向に回動した位置に押さえられている。これにより、後述するように作動部材７９が圧接ばね８０の付勢力によって反時計回り方向に回動したとき、Ｎ相可動端子板８１は作動部材７９による押さえが解放されることで、圧接ばね８５の付勢力によって押し上げられるようになっている。
【００５６】
また、作動部材７９は、Ｌ相可動端子板８３の中間部分を押さえ付けている。Ｌ相可動端子板８３の他端部には、Ｌ相可動端子部８４が例えばカシメ等によって固定されている。後述するように作動部材７９が反時計回り方向に回動したとき、Ｌ相可動端子板８３が作動部材７９の後端部（図６中の下端部）によって押し上げられてＬ相可動端子部８４が前方（図６中の上方）に移動するようになっている。
【００５７】
Ｎ相可動端子部８２は、ハウジング７２内に配置されたＮ相固定端子部８７に当接して電気的に接続されている。Ｎ相固定端子部８７は、Ｎ相固定端子板８６の一端部に例えばカシメ等によって固定されている。Ｎ相固定端子板８６はハウジング７２の外部に延出している。
【００５８】
Ｌ相可動端子部８４は、ハウジング７２内に配置されたＬ相固定端子部８９と当接して電気的に接続される。Ｌ相固定端子部８９は、Ｌ相固定端子板８８の一端部に例えばカシメ等によって固定されている。Ｌ相固定端子板８８はハウジング７２の外部に延出している。
【００５９】
上記のように構成される開閉ユニット７０では、制御基板１２０からの作動信号によってコイル７３に電力供給されると、図７に示すように、可動鉄片７４がコイル７３の磁力によって吸着されて移動する。
【００６０】
そうすると、トリガーレバー７５が可動鉄片７４によって一端部が押されることで時計回り方向に回動し、これに伴って支持レバー７６がトリガーレバー７５の他端部によって押されることで反時計回り方向に回動する。
【００６１】
そうすると、支持レバー７６の上端に支持されていた作動板７７の一端部が外れることで、作動板７７は押圧ばね７８の押圧力によって反時計周り方向に回動する。このとき、操作レバー７１は、押圧ばね７８の反力と捻りばね９０の付勢力によって、コンセント１０の前面に端部が突出した状態に回動する。
【００６２】
作動板７７の支持レバー７６による支持が外れたことで、作動板７７によって時計回り方向に押されて支持されていた作動部材７９が、圧接ばね８０の付勢力によって反時計回り方向に回動する。これにより、圧接ばね８５の付勢力によってＮ相可動端子板８１が移動し、Ｎ相可動端子部８２がＮ相固定端子部８７から離間する。これと同時に、反時計回り方向に回動する作動部材７９によって押されることで、Ｌ相可動端子板８３が持ち上げられるように移動する。これにより、Ｌ相可動端子部８４がＬ相固定端子部８９から離間する。このようにＮ相可動端子部８２及びＬ相可動端子部８４がＮ相固定端子部８７及びＬ相固定端子部８９からそれぞれ離間することで、開閉ユニット７０は閉路状態から開路状態に切り替わる。その結果、刃受ばねブロック４２ａ，４２ｂへの電力供給路が遮断され、コンセント１０から差込プラグを介して負荷に供給される電力がオフされることになる。異常状態が解除されて、操作レバー７１が図７に示す状態から図６に示す状態に手動操作で戻されると、開閉ユニット７０の内部の各構成部材も図７に示す状態から図６に示す状態に復帰し、開路状態から閉路状態に戻すことができる。
【００６３】
なお、開閉ユニット７０は、上述した構成のものに限定されず、電力供給路を開閉可能な公知の如何なる構成の遮断機構を用いてもよい。
【００６４】
図８は、図４に示すコンセントにおいて、矢印Ａ方向（端子部側）から見た斜視図である。コンセント１０は、端子部１００を備える。端子部１００は、商用電源に接続される外部電源線が電気的及び機械的に接続される接続部である。
【００６５】
端子部１００は、Ｎ相固定端子板８６、Ｌ相固定端子板８８、鎖錠ばね９２，９４、及び、解錠部材９６を備える。Ｎ相固定端子板８６は、開閉ユニット７０のハウジング７２から延出した他端部にＵ字状に折り曲げられたＮ相電線接続部８６ａを有する。Ｌ相固定端子板８８は、開閉ユニット７０のハウジング７２から延出した他端部にＵ字状に折り曲げられたＬ相電線接続部８８ａを有する。各電線接続部８６ａ，８８ａの内側には、鎖錠ばね９２，９４がそれぞれ配置されている。鎖錠ばね９２，９４は、コンセント１０の後方から挿入されたＮ相およびＬ相の外部電源線をＮ相電線接続部８６ａ及びＬ相電線接続部８８ａに弾性的にそれぞれ押圧して接続状態を保持する。これにより、端子部１００における電線接続部８６ａ，８８ａは、外部電源線を迅速に接続可能ないわゆる速結端子となっている。
【００６６】
解錠部材９６は、コンセント１０の後方から挿入したドライバー等の工具によって押し込み操作することで、鎖錠ばね９２，９４を各相電線接続部８６ａ，８８ａから離間させることができる。これにより、鎖錠ばね９２，９４によるＬ相及びＮ相の外部電源線の押圧が解除され、その結果、外部電源線を電線接続部８６ａ，８８ａから抜き出す（すなわち接続解除する）ことができる。
【００６７】
また、端子部１００には、温度計測用の回路基板１１０が設けられている。回路基板１１０は、各相電線接続部８６ａ，８８ａの前方に近接して配置されている。回路基板１１０の詳細については図１２以降を参照して後述する。
【００６８】
端子部１００は、接地用端子１０２を更に備える。接地用端子１０２は、例えば、銅板等の金属板をパンチ加工および折り曲げ加工して形成された接地用端子板１０４を含む。接地用端子板１０４の一端部には、ねじ１０５が螺合されており、このねじ１０５を用いて接地用外部電線を接地用端子１０２に接続することができる。接地用端子板１０４の他端には接地用刃受ばね１０６が形成されている。この接地用刃受ばね１０６はコンセント本体カバー１２の上部カバー１２ａの下段に形成された接地端子挿入口２０ｃの内側に配置されている。これにより、接地端子挿入口２０ｃから挿入された差込プラグの接地用端子が接地用端子板１０４に接続されるようになっている。
【００６９】
次に、図９〜図１２を参照して、温度センサの取付構造について説明する。図９は、コンセントの温度センサ取付構造を示す分解斜視図である。図１０は、図９の温度センサ取付構造の組立斜視図である。図１１は、温度センサ取付構造を示す一部断面を含む平面図である。
【００７０】
図９ないし図１１に示すように、コンセント部４０は、Ｌ相用の刃受ばねブロック４２ａと、Ｎ相用の刃受ばねブロック４２ｂと、これらの刃受ばねブロック４２ａ，４２ｂを支持するボディ部材４４とを備える。各刃受ばねブロック４２ａ，４２ｂは、コンセント部４０の幅方向中心線であるＢ−Ｂ線に対して対称な形状を有する。以下では、刃受ばねブロック４２ａについて説明するが、刃受ばねブロック４２ｂについても同様である。
【００７１】
刃受ばねブロック４２ａは、二対の刃受ばね４８と、各刃受ばね４８を機械的に連結するとともに電気的に接続する連結部５０と、連結部５０の縁部から前後方向Ｙに沿って折り曲げ形成された接続端子部５２とを一体に有する。接続端子部５２は、断面Ｌ字状に折れ曲がった曲げ部５２ａを有している。そして、接続端子部５２の曲げ部５２ａには、温度センサ５４が取り付けられている。
【００７２】
本実施形態では、温度センサ５４は、クリップ５６によって挟持されて固定されている。これにより、温度センサ５４が温度計測対象である刃受ばねブロック４２ａに密接して配置されている。クリップ５６は、一対の挟持片５６ａと各挟持片５６ａを連結する連結部５６ｂとを一体に有する。このように温度センサ５４がクリップ５６によって挟持されることで温度計測対象である接続端子部５２の曲げ部５２ａに密接した状態で取り付けられる。これにより、温度センサ５４による温度計測精度が向上する。
【００７３】
温度センサ５４は、サーミスタ、測温抵抗体、及び熱電対の何れかで構成されるのが好適である。また、温度センサ５４と接続端子部５２の曲げ部５２ａとの間に熱伝導部材が介在されてもよい。熱伝導部材は、例えば、熱伝導性を有するシートやグリスなどの柔軟で薄い部材で構成されるのが好ましい。このような熱伝導部材を設けることで、温度センサ５４が温度計測対象により密接した状態になりやすく、温度計測精度の向上に寄与することができる。
【００７４】
刃受ばねブロック４２ａ，４２ｂ、温度センサ５４およびクリップ５６は、ボディ部材４４に対して次のように組み付けられる。
【００７５】
絶縁性樹脂成型品で構成されるボディ部材４４は、略直方体状をなしている。ボディ部材４４には、４つの凹部４５が区画形成されている。これらの凹部４５内に刃受ばねブロック４２ａ，４２ｂの４対の刃受ばね４８がそれぞれ収納された状態で、刃受ばねブロック４２ａ，４２ｂがボディ部材４４に組み付けられる。
【００７６】
ボディ部材４４の外周面において幅方向Ｘに対向する両側面には、前方視で長方形状に凹んだセンサ収容部４６がそれぞれ形成されている。センサ収容部４６の内面には、前方視で略コ字状をなす支持リブ４７が突出して形成されている。この支持リブ４７は、幅方向Ｘの外側に向かって開口している。
【００７７】
コンセント部４０の組立の際、図９に示すように、まず、温度センサ５４がボディ部材４４のセンサ収容部４６内に幅方向Ｘに沿った矢印Ｃ方向から挿入されて収容される。このとき、温度センサ５４は支持リブ４７上に載置されて支持され、温度センサ５４から延出する信号線６０ａは支持リブ４７の開口部に挿入される。
【００７８】
次に、刃受ばねブロック４２ａの接続端子部５２を前後方向Ｙに沿った矢印Ｄ方向からセンサ収容部４６に挿入するようにして刃受ばねブロック４２ａをボディ部材４４に組み付ける。これにより、接続端子部５２の曲げ部５２ａが温度センサ５４とセンサ収容部４６の壁面との間に配置される。
【００７９】
この状態で、クリップ５６を矢印Ｃ方向からセンサ収容部４６内に挿入する。これにより、図１０及び図１１に示すように、温度センサ５４がクリップ５６によって接続端子部５２の曲げ部５２ａに圧接された状態に組み付けられる。もう１つの刃受ばねブロック４２ｂへの温度センサ５４の組み付けも同様に行うことができる。したがって、本実施形態のコンセント１０のコンセント部４０では、ボディ部材４４に温度センサ５４および刃受ばねブロック４２ａ，４２ｂを組み付けた状態でクリップ５６を挿入することで、刃受ばねブロック４２ａ，４２ｂへの温度センサ５４の取付けを容易に行うことができる。
【００８０】
図１２は、端子部１００の一部を拡大して示す斜視図である。図１２に示すように、コンセント１０は、温度計測用の回路基板１１０を備えてもよい。回路基板１１０には、温度センサ１１２ａ，１１２ｂが実装されている。温度センサ１１２ａ，１１２ｂは、例えば、サーミスタ、測温抵抗体、及び熱電対の何れかによって好適に構成される温度計測素子と、当該温度計測素子を覆った状態でＮ相固定端子板８６及びＬ相固定端子板８８との間に介在される熱伝導部材によって構成される。すなわち、サーミスタ等の温度計測素子は、熱伝導部材を介して温度計測対象であるＮ相固定端子板８６及びＬ相固定端子板８８に接触している。
【００８１】
熱伝導性部材は、熱伝導性を有する柔軟性樹脂であることが好ましい。これにより、温度センサ１１２ａ，１１２ｂがより密接に温度計測対象に接触し、温度計測精度を高めることができる。また、温度計測対象であるＮ相固定端子板８６とＬ相固定端子板８８との間の電気的絶縁をより確実なものにするため、熱伝導部材は絶縁性樹脂であることが好ましい。具体例として、熱伝導部材は、低硬度のアクリル樹脂を用いることができ、例えば、３Ｍ社製のハイパーソフト放熱シート（登録商標）６５００Ｈ，６５１０Ｈ，５５７８Ｈなどを用いることができる。
【００８２】
回路基板１１０に実装された温度センサ１１２ｂはＮ相固定端子板８６に接触して設けられ、回路基板１１０に実装された温度センサ１１２ａはＬ相固定端子板８８に接触して設けられる。そして、温度センサ１１２ｂによって計測されたＮ相固定端子板８６の温度は信号線１１４ａを介して制御基板１２０に送信される。また、温度センサ１１２ａによって計測されたＬ相固定端子板８８の温度は信号線１１４ｂを介して制御基板１２０に送信される。なお、回路基板１１０には、信号線１１４ａ，１１４ｂに隣接して電源線１１４ｃが接続されている。
【００８３】
制御基板１２０に設けられた制御部１２２は、温度センサ１１２ａ，１１２ｂで計測された固定端子温度が所定閾値温度を超えていないか否かを判定する。そして、制御部１２２は、固定端子板８６，８８の少なくとも一方の温度が所定閾値温度を超えたとき、コンセント１０が過熱状態であると判定し、開閉ユニット７０に信号線６０ｃを介して作動信号を送信する。これにより、開閉ユニット７０が作動して開路状態となり、刃受ばねブロック４２ａ，４２ｂへの電力供給が遮断される。ここでの所定閾値温度は、上述した刃受ばねブロック４２ａ，４２ｂの温度センサ５４によって計測された温度と比較されるものと同じ値を用いることができる。
【００８４】
なお、本実施形態のコンセント１０では、刃受ばねブロック４２ａ，４２ｂと、固定端子板８６，８８の両方に温度センサを配置したが、刃受ばねブロック４２ａ，４２ｂ又は固定端子板８６，８８の何れか一方だけに温度センサを配置してもよい。
【００８５】
次に、図１３及び図１４を参照して、本実施形態のコンセント１０における端子部構造について説明する。図１３は、端子部１００を斜め前方から見た状態で示す斜視図である。図１４は、温度計測用の回路基板１１０を省略した状態で端子部を示す斜視図である。
【００８６】
図１３及び図１４に示すように、端子部１００は、端子ボックス１０１を備えている。端子ボックス１０１は、例えば、絶縁樹脂成型品によって好適に構成される。端子ボックス１０１は、後方に底部を有し前方が開口した有底の筐体をなしている。端子ボックス１０１は、Ｎ相電線接続部８６ａおよびＬ相電線接続部８８ａと、温度計測用の回路基板１１０を収納する。また、端子ボックス１０１は、接地用端子１０２の後端側部分も収納している。端子ボックス１０１の底部には、外部電源線を挿入するための電線挿入口（図示せず）と、解錠部材９６を操作するための工具を挿入する工具挿入口（図示せず）が開口して形成されている。
【００８７】
図１３に示すように、端子ボックス１０１は前後方向Ｙに沿った矢印Ｅ方向から端子部１００に組み付けられる。開閉ボックス７０のハウジング７２には、斜め前方に向かって延出した係止片７２ａが一体に形成されており、端子ボックス１０１の開閉ユニット７０と対向する外側面には係止凸部１０８が突設されている。これにより、端子ボックス１０１がＮ相電線接続部８６ａ、Ｌ相電線接続部８８ａ、及び、回路基板１１０を収納した状態に組み付けられると、開閉ユニット７０の係止片７２ａの先端が係止凸部１０８の後面に引っ掛かる。これにより、開閉ユニット７０と端子ボックス１０１とが連設された状態に保持される。
【００８８】
回路基板１１０は、前方から見て略矩形状をなし、周縁部に４つの角部を有する。これらの角部のうち３つの角部には、略Ｖ字状の切欠部１１７ａ，１１７ｂ，１１７ｃが形成されている。また、回路基板１１０は、上下方向Ｚに関して一方端縁部１１１ａと他方端縁部１１１ｂとを有する。
【００８９】
図１３及び図１４に示すように、端子ボックス１０１の前端には、それぞれ直方体状をなす３つの係合部１０１ａ，１０１ｂ，１０１ｃが前方に突出して形成されている。回路基板１１０は、３つの切欠部１１７ａ，１１７ｂ，１１７ｃが３つの係合部１０１ａ，１０１ｂ，１０１ｃに係合した状態で端子ボックス１１０に収納される。これにより、回路基板１１０は、幅方向Ｘおよび上下方向Ｚを含む平面内において位置決めされて端子ボックス１０１内に収納された状態となる。このとき、回路基板１１０は、板厚の一部が端子ボックス１１０に収納されていれば足り、板厚の全体が収納されてなくもよい。
【００９０】
図１４に示すように、開閉ユニット７０のハウジング７２の側面には、一対の突出部からなる挟持部７２ｂが一体に設けられている。この挟持部７２ｂによって回路基板１１０の一方端縁部１１１ａが挟持された状態で回路基板１１０が配置されている。
【００９１】
図１３に示すように、回路基板１１０には、温度センサ１１２ａ，１１２ｂによる検出信号を出力する信号線１１４ａ，１１４ｂと、温度センサ１１２ａ，１１２ｂに動作電力を供給する電源線１１４ｃとが接続されている。これらの信号線１１４ａ，１１４ｂは、回路基板１１０の４つの角部にうち切欠部１１７ａ，１１７ｂ，１１７ｃが形成されていない残り１つの角部近傍に信号線１１４ａ，１１４の接続部１１１ｃが設けられている。ここで、信号線１１４ａ，１１４ｂおよび電源先１１４ｃは、芯体である導線が回路基板１１０の後面（または裏面）から貫通して回路基板１１０の前面（または表面）において半田付け部１１３によって電気的および機械的に接続されている。そして、回路基板１１０の後面から導出される信号線１１４ａ，１１４ｂは、絶縁被覆されていて、コンセント部４０の後方に向かって延びて制御基板１２０に接続されている。
【００９２】
このように信号線１１４ａ，１１４ｂの接続部１１１ｃが回路基板１１０において内側の角部近傍に設けられていることで、制御基板１２０に近い位置から信号線１１４ａ，１１４ｂを導出して制御基板１２０に接続できるので、信号線１１４ａ，１１４ｂの接続作業が容易に行うことができる。また、信号線１１４ａ，１１４ｂの長さも短くなることで、組立作業中に信号線１１４ａ，１１４ｂが隣接する構成部材に干渉して絶縁被膜が損傷するのを抑制することができる。
【００９３】
図１３に示すように、回路基板１１０の他方端縁部１１１ｂは、端子ボックス１０１の内面との間の隙間を小さくする閉塞部を形成している。これにより、解錠部材９６の操作のために端子ボックス１０１の後面から挿入された工具が回路基板１１０の前方側に突き出るのを防止できる。また、回路基板１１０において信号線１１４ａ，１１４ｂおよび電源線１１４ｃの接続部１１１ｃが、閉塞部を構成する他方端縁部１１１ｂとは反対側の一方端縁部１１１ａの近傍に設けられている。したがって、端子ボックス１０１内に挿入された工具が信号線１１４ａ，１１４ｂ及び電源線１１４ｃに接触しにくくなり、信号線１１４ａ，１１４ｂ等が損傷するのを防止できる。さらに、信号線１１４ａ，１１４ｂおよび電源線１１４ｃの半田付け部１１３が、工具挿入側とは反対側の回路基板１１０の表面側に位置している。そのため、端子ボックス１１０に挿入された工具が半田付け部１１３に接触して導通するのを回避することができる。
【００９４】
図１４に示すように、端子ボックス１０１の内側には、支持凸部１０１ｄ，１０１ｅが形成されている。支持凸部１０１ｄには段部が一体形成されており、この段部に回路基板１１０の幅方向Ｘの端縁部が載置された状態で回路基板１１０を支持することができる。支持凸部１０１ｅは、その先端面が回路基板１１０の中央領域に当接することで、回路基板１１０を前後方向Ｙに支持することができる。
【００９５】
回路基板１１０の組付けは、次のようにして行う。まず、図１４に示すように、温度センサ１１２ａ，１１２ｂが実装された回路基板１１０を、Ｎ相電線接続部８６ａおよびＬ相電線接続部８８ａの各平坦部分に温度センサ１１２ａ，１１２ｂが接触した状態で載置する。温度センサ１１２ａ，１１２ｂは、それぞれ、温度計測素子１１５とこれを覆って設けられる熱伝導部材１１６によって構成されている。したがって、各温度センサ１１２ａ，１１２ｂは、熱伝導部材１１６を介してＮ相固定端子板８６およびＬ相固定端子板８８に接触した状態で配置される。また、このとき回路基板１１０の一方端縁部１１１ａは、開閉ユニット７０に設けた挟持部７２ｂによって挟持されており、回路基板１１０を仮組付けされた状態に安定に保持することができる。
【００９６】
この状態で、端子ボックス１０１を後方から組み付けて、Ｎ相電線接続部８６ａおよびＬ相電線接続部８８ａと回路基板１１０とを端子ボックス１０１に収納する。このとき、端子ボックス１０１の３つの係合部１０１ａ，１０１ｂ，１０１ｃが回路基板１１０の３つの切欠部１１７ａ，１１７ｂ，１１７ｃに係合することによって、回路基板１１０が幅方向Ｘおよび上下方向Ｚに位置決めされた状態となる。また、端子ボックス１０１の支持凸部１０１ｅが回路基板１１０の裏面に当接することで、回路基板１１０が前後方向Ｙに位置決めされた状態で端子ボックス１０１内に収納される。
【００９７】
上述したように、電力供給路の異常を検知して、その旨を報知し且つ電力供給路の遮断を行うコンセント１０における端子部構造であって、商用電源からの電力を負荷に供給するための電源線が接続される電線接続部８６ａ，８８ａと、電線接続部８６ａ，８８ａにおける異常を検知するセンサが実装された回路基板１１０と、電線接続部８６ａ，８８ａ及び回路基板１１０を収納する端子ボックス１０１とを備える。回路基板１１０は、温度センサ１１２ａ，１１２ｂを介在させて電線接続部８６ａ，８８ａ上に載置され、端子ボックス１０１に設けられた少なくとも３つの係合部１０１ａ，１０１ｂ，１０１ｃが回路基板１１０の周縁部に係合した状態で端子ボックス１０１に収納されている。また、回路基板１１０の周縁部であって３つの係合部１０１ａ，１０１ｂ，１０１ｃからの距離の総和が最も長くなる残りの角部近傍の位置には、回路基板１１０から導出される信号線１１４ａ，１１４ｂの接続部１１１ｃが設けられている。
【００９８】
この構成によれば、温度センサ１１２ａ，１１２ｂが実装された回路基板１１０を電線接続部８６ａ，８８ａに対して位置決めされた状態で容易に組み付けることができ、コンセント１０の組立性を向上させることができる。
【００９９】
本実施形態のコンセント１０の端子部構造において、端子ボックス１０１と連設される開閉ユニット７０を更に備え、開閉ユニット７０は回路基板１１０の端縁部１１１ａを挟み込む挟持部７２ｂを有している。この構成によれば、回路基板１１０を仮組付けした状態に安定して保持することができる。
【０１００】
また、本実施形態のコンセント１０の端子部構造において、電線接続部８６ａ，８８ｂには鎖錠ばね９２，９４が設けられ、電源線は鎖錠ばね９２，９４によって電線接続部８６ａ，８８ｂに対して弾性的に押圧されることで接続可能である。また、鎖錠ばね９２，９４による押圧を解除する解錠部材９６を更に備え、解錠部材９６は端子ボックス１０１の後面の開口部から挿入される工具によって移動されることで電源線を電線接続部８６ａ，８８ｂに押圧するのを解除するように構成されている。工具の挿入方向の前方に位置する回路基板１１０の端縁部１１１ｂは端子ボックス１０１の内面との間の隙間を小さくする閉塞部を形成する。そして、信号線１１４ａ，１１４ｂの接続部１１１ｃは、閉塞部を構成する回路基板１１０の端縁部１１１ｂとは反対側の端縁部１１１ａ近傍に設けられている。この構成によれば、端子ボックス１０１に挿入された工具によって信号線１１４ａ，１１４ｂが損傷するのを抑制することができる。
【０１０１】
また、本実施形態のコンセント１０の端子部構造において、信号線１１４ａ，１１４ｂは、回路基板１１０の前面において信号線１１４ａ，１１４ｂの導線が半田付けされて回路基板１１０に接続されている。この構成によれば、端子ボックス１０１内に後方から挿入された工具が回路基板１１０の表面側にある半田付け部１１３に接触することがなく、工具に導通するのを回避することができる。
【０１０２】
さらに、本実施形態のコンセント１０の端子部構造において、温度センサ１１２ａ，１１２ｂによる異常検出に基づいて電力供給路の遮断動作を制御する制御基板１２０を更に備え、回路基板１１０の信号線１１４ａ，１１４ｂの接続部１１１ｃは制御基板１２０の位置に近い側の端縁部１１１ａに設けられている。この構成によれば、回路基板１１０から導出された信号線１１４ａ，１１４ｂの引き回しや制御基板１２０への接続作業が容易になる。
【０１０３】
なお、本開示に係るスイッチ装置およびスイッチ付きコンセントは、上述した実施形態およびその変形例に限定れるものではなく、本願の特許請求の範囲に記載された事項の範囲内において種々の変更や改良が可能であることは勿論である。
【０１０４】
上記では、配線器具の一例であるコンセント１０の端子部構造について説明したが、これに限定されるものではなく、本開示の端子部構造はコンセント以外の配線器具や、ブレーカなど電路開閉器に適用されてもよい。
【符号の説明】
【０１０５】
１  取付枠、２  上側板部、３  下側板部、４  桟部、５  開口部、６  係合孔、１０スイッチ付きコンセント（スイッチ装置）、１２  コンセント本体カバー、１２ａ  上部カバー、１２ｂ  下部カバー、１３  取付ピン、１４  コンセント外側カバー、１４ａ  （コンセント外側カバーの）開口部、１４ｂ  貫通孔、１４ｃ  電源灯孔、１４ｄ  異常灯孔、１５  取付穴、１６  ケース、１７  主カバー部材、１７ａ  前壁、１７ｂ  側壁、１７ｃ  （主カバー部材の）開口部、１７ｄ  操作片、１７ｅ  端子カバー部、１８ａ，１８ｂ  栓刃挿入部、１９  （主カバー部材の）開口部、２０ａ，２０ｂ  栓刃挿入口、２０ｃ  接地端子挿入口、２１  係止片、２２  係合部、２３  （主カバー部材の）係止部、２４  底面、２６  柱部、２９  支持突起部、４０  コンセント部、４２ａ，４２ｂ  刃受ばねブロック、４４  ボディ部材、４４ａ  後面、４５  凹部、４６  センサ収容部、４７  支持リブ、４８  刃受ばね、４９ａ  係止部、４９ｂ  位置決め突起、４９ｃ  軸受部、５０  連結部、５１  鉤部、５２  接続端子部、５２ａ  曲げ部、５３  支持面、５４  温度センサ、５４ａ  Ｌ相導線、５４ｂ  Ｎ相導線、５６  クリップ、５６ａ  挟持片、５６ｂ  連結部、５７  係合面、６０ａ，６０ｂ，６０ｃ  信号線、７０  開閉ユニット、７１  操作レバー、７２  ハウジング、７２ａ  係止片、７２ｂ  挟持部、７３  コイル、７４  可動鉄片、７５  トリガーレバー、７５ａ，７６ａ，７９ａ  軸部、７６  支持レバー、７７  作動板、７８  押圧ばね、７９  作動部材、８０，８５  圧接ばね、８１  Ｎ相可動端子板、８２  Ｎ相可動端子部、８３  Ｌ相可動端子板、８３ａ  一端、８４  Ｌ相可動端子部、８６  Ｎ相固定端子板、８６ａ  Ｎ相電線接続部、８７  Ｎ相固定端子部、８８  Ｌ相固定端子板、８８ａ  Ｌ相電線接続部、８９  Ｌ相固定端子部、９０  捻りばね、９２，９４  鎖錠ばね、９６  解錠部材、１００  端子部、１０１  端子ボックス、１０１ａ，１０１ｂ，１０１ｃ  （端子ボックスの）係合部、１０１ｄ，１０１ｅ  支持凸部、１０２  接地用端子、１０４  接地用端子板、１０６  接地用刃受ばね、１０８  係止凸部、１１０  温度計測用の回路基板、１１１ａ  （回路基板の）一方端縁部、１１１ｂ  （回路基板の）他方端縁部、１１１ｃ  信号線の接続部、１１２ａ，１１２ｂ  温度センサ、１１３  半田付け部、１１４ａ，１１４ｂ  信号線、１１４ｃ  電源線、１１５  温度計測素子、１１６  熱伝導部材、１１７ａ，１１７ｂ，１１７ｃ  （回路基板の）切欠部、１２０  制御基板、１２２  制御部、１３０  スイッチ盤、１３２  押しスイッチ、１３４  電源灯発光部、１３６  異常灯発光部。
【図１】
2020053244.tif 000003
【図２】
2020053244.tif 000004
【図３】
2020053244.tif 000005
【図４】
2020053244.tif 000006
【図５】
2020053244.tif 000007
【図６】
2020053244.tif 000008
【図７】
2020053244.tif 000009
【図８】
2020053244.tif 000010
【図９】
2020053244.tif 000011
【図１０】
2020053244.tif 000012
【図１１】
2020053244.tif 000013
【図１２】
2020053244.tif 000014
【図１３】
2020053244.tif 000015
【図１４】
2020053244.tif 000016